(57)【特許請求の範囲】
【請求項１】
ブランキングプレスで切断した金属シートを、ランアウトコンベアにより間欠的に搬送し、パイラーコンベアの磁着ベルトに磁着させることにより引き渡し、その後、前記パイラーコンベアにより連続的に搬送し、積載部の真上にて落下させ、前記積載部に順次積載させる金属シートの搬送方法であって、
前記金属シート全体が前記パイラーコンベアに磁着された後、前記金属シートの端部を検出し、該検出による検出信号に基づいて、前記落下が行われ、
前記検出が、前記パイラーコンベアの前記ランアウトコンベアと一部が重なっている部分の前記パイラーコンベアの末端部で行われることを特徴とする金属シートの搬送方法。
【請求項２】
前記端部が下流端部であることを特徴とする請求項１記載の金属シートの搬送方法。
【請求項３】
前記金属シートを、前記積載部の真上にて落下させ、前記パイラーコンベアに設けられたエンドストッパーに衝突させた後、前記積載部に順次積載させることを特徴とする請求項１記載の金属シートの搬送方法。
【請求項４】
前記積載部が、リフトと、リフト上に載置されたパレットと、前記金属シートの縦方向の位置を調整するためのスライド可能なフロントストッパーと、前記金属シートの横方向の位置を調整するためのスライド可能なサイドストッパーと、前記パレット上に載置される前記金属シートを検出するための光センサーと、を備えることを特徴とする請求項１〜３のいずれか１項に記載の金属シートの搬送方法。
【請求項５】
ブランキングプレスにより切断された金属シートを間欠的に搬送するランアウトコンベアと、
前記ランアウトコンベアと一部が重なっており、前記金属シートを磁着ベルトの下に磁着させて連続的に搬送するパイラーコンベアと、
前記パイラーコンベアに設けられ、前記金属シートの端部を検出可能な検出器と、
前記パイラーコンベアから落下させた前記金属シートを順次積載させる積載部と、
を備え、
前記金属シート全体が前記パイラーコンベアに磁着された後、前記金属シートの端部を前記検出器で検出し、該検出による検出信号に基づいて、前記落下が行われるものであり、
前記検出器が、前記パイラーコンベアの前記ランアウトコンベアと一部が重なっている部分の前記パイラーコンベアの末端部に設けられており、前記金属シートの下流端部を検出可能となっていることを特徴とする金属シートの搬送装置。
【請求項６】
前記積載部が、リフトと、リフト上に載置されたパレットと、前記金属シートの縦方向の位置を調整するためのスライド可能なフロントストッパーと、前記金属シートの横方向の位置を調整するためのスライド可能なサイドストッパーと、前記パレット上に載置される前記金属シートを検出するための光センサーと、を備えることを特徴とする請求項５記載の金属シートの搬送装置。
【請求項７】
前記積載部が２箇所あり、それぞれの前記積載部に対応するように、前記パイラーコンベアに２箇所のエンドストッパーが設けられていることを特徴とする請求項５記載の金属シートの搬送装置。
【発明の詳細な説明】
【技術分野】
【０００１】
本発明は、金属シートの搬送方法及び金属シートの搬送装置に関する。
【背景技術】
【０００２】
プレス加工の分野には、帯状のシート体を所望のサイズに切断し、それらを積み重ねて、いわゆるスタックとするブランキングラインと、スタックからシートを１枚ずつ搬送し、所望の形状に順次プレス加工するトランスファプレスラインとがある（例えば、非特許文献１及び２参照）。
【０００３】
ここで、図５の（ａ）は、従来のブランキングプレスラインを示す斜視図であり、図５の（ｂ）は、従来のトランスファプレスラインを示す斜視図である。
図５の（ａ）に示すように、ブランキングプレスラインＸにおいては、コイルフィーダーＸ１によりシート体のカールが解消され、ブランキング・順送プレスＸ２により帯状のシート体が所望のサイズに切断され、パイラーＸ３により切断されたシートが積み重ねられてスタックとされる。
そして、かかるスタックはプレスラインに運搬される。
【０００４】
一方、図５の（ｂ）に示すように、トランスファプレスラインＹでは、ディスタックフィーダーＹ１によりスタックから１枚ずつシートが取り出され、三次元トランスファプレスＹ２に供給され、シートが順次プレス加工されていく。そして、パレタイザーＹ３によりプレス加工されたシートが供出される。
【０００５】
上記ブランキングプレスラインにおいて、磁性体からなるシート体を第１コンベアと第２コンベアとで搬送するマグネット吸着式コンベアシステムが知られている（例えば、特許文献１参照）。
かかるマグネット吸着式コンベアシステムにおいては、第２コンベアを間欠的に運転する間欠方式を採用している。
【非特許文献１】株式会社エイチアンドエフ、"製品情報「自動プレスライン（トランスファプレスライン）」"、［online］、株式会社エイチアンドエフホームページ、［平成18年9月1日検索］、インターネット〈URL:http://www.h-f.co.jp/products/line/line_transfer.html〉
【非特許文献２】株式会社エイチアンドエフ、"製品情報「自動プレスライン（トランスファプレスライン）」"、［online］、エイチアンドエフ株式会社ホームページ、［平成18年9月1日検索］、インターネット〈URL:http://www.h-f.co.jp/products/line/line_blanking.html〉
【特許文献１】特許第３９３０８５４号公報
【発明の開示】
【発明が解決しようとする課題】
【０００６】
しかしながら、上述した特許文献１記載のマグネット吸着式コンベアシステムは、間欠方式であるので、第１コンベアから第２コンベアにシートを引き渡す際のタイミングの設定が複雑である。
また、第１コンベア及び第２コンベアにずれが生じた場合には、タイミングの設定が複雑であるので、ズレを元に戻すことが難しく、シートを確実に積層部に積層させることができない。
【０００７】
ところで、シートを引き渡す際の複雑な設定を省くために、第２コンベアを連続的に運転する連続方式とする方法が考えられる。
ところが、この場合、第１コンベアと第２コンベア（磁着力を有する）との間に速度差が生じるので、シートを第２コンベアに引き渡す際、該第２コンベアとシートとの間でスリップが発生する。スリップの度合いがばらつくと、第２コンベアがシートを搬送するタイミングが一定とならないので、シートを確実且つ正確に積層部に積層させることができない。
【０００８】
本発明は上記事情に鑑みてなされたものであり、簡便な装置で、金属シートを確実に搬送し且つ金属シートを確実に積載部に積載させることができる金属シートの搬送方法、及び、金属シートの搬送装置を提供することを目的とする。
【課題を解決するための手段】
【０００９】
本発明者は、上記課題を解決するため鋭意検討したところ、金属シートがパイラーコンベアに磁着されるタイミングに関わらず、金属シートの全体がパイラーコンベアに磁着されたのを検出確認した後、該検出による検出信号に基づいて、金属シートを落下させることにより、上記課題を解決し得ることを見出し、本発明を完成するに至った。
【００１０】
すなわち、本発明は、（１）ブランキングプレスで切断した金属シートを、ランアウトコンベアにより間欠的に搬送し、パイラーコンベアの磁着ベルトに磁着させることにより引き渡し、その後、パイラーコンベアにより連続的に搬送し、積載部の真上にて落下させ、積載部に順次積載させる金属シートの搬送方法であって、金属シート全体がパイラーコンベアに磁着された後、金属シートの端部を検出し、該検出による検出信号に基づいて、落下が行われ、検出が、パイラーコンベアのランアウトコンベアと一部が重なっている部分のパイラーコンベアの末端部で行われる金属シートの搬送方法に存する。
【００１１】
本発明は、（２）端部が下流端部である上記（１）記載の金属シートの搬送方法に存する。
【００１３】
本発明は、（３）金属シートを、積載部の真上にて落下させ、パイラーコンベアに設けられたエンドストッパーに衝突させた後、積載部に順次積載させる上記（１）記載の金属シートの搬送方法に存する。  本発明は、（４）積載部が、リフトと、リフト上に載置されたパレットと、金属シートの縦方向の位置を調整するためのスライド可能なフロントストッパーと、金属シートの横方向の位置を調整するためのスライド可能なサイドストッパーと、パレット上に載置される金属シートを検出するための光センサーと、を備える上記（１）〜（３）のいずれか１つに記載の金属シートの搬送方法に存する。
【００１４】
本発明は、（５）ブランキングプレスにより切断された金属シートを間欠的に搬送するランアウトコンベアと、ランアウトコンベアと一部が重なっており、金属シートを磁着ベルトの下に磁着させて連続的に搬送するパイラーコンベアと、パイラーコンベアに設けられ、金属シートの端部を検出可能な検出器と、パイラーコンベアから落下させた金属シートを順次積載させる積載部と、を備え、金属シート全体がパイラーコンベアに磁着された後、金属シートの端部を検出器で検出し、該検出による検出信号に基づいて、落下が行われるものであり、検出器が、パイラーコンベアのランアウトコンベアと一部が重なっている部分のパイラーコンベアの末端部に設けられており、金属シートの下流端部を検出可能となっている金属シートの搬送装置に存する。
【００１５】
本発明は、（６）積載部が、リフトと、リフト上に載置されたパレットと、金属シートの縦方向の位置を調整するためのスライド可能なフロントストッパーと、金属シートの横方向の位置を調整するためのスライド可能なサイドストッパーと、パレット上に載置される金属シートを検出するための光センサーと、を備える上記（５）記載の金属シートの搬送装置に存する。
【００１６】
本発明は、（７）積載部が２箇所あり、それぞれの積載部に対応するように、パイラーコンベアに２箇所のエンドストッパーが設けられている上記（５）記載の金属シートの搬送装置に存する。
【００１７】
なお、本発明の目的に添ったものであれば、上記（１）〜（７）を適宜組み合わせた構成も採用可能である。
【発明の効果】
【００１８】
本発明の金属シートの搬送方法においては、パイラーコンベアを連続方式としているので、金属シートを引き渡す際の複雑なタイミングの設定は不要である。
また、上記金属シートの搬送方法においては、金属シート全体をパイラーコンベアに磁着させた後に金属シートを検出し、その検出信号に基づいて、金属シートを落下させるので、金属シートをランアウトコンベアからパイラーコンベアに磁着させるタイミングに関わらず、金属シートを落下させるタイミングにずれが生じ難い。
このため、金属シートを確実に搬送し、且つ金属シートを確実に積載部に積載することができる。
【００１９】
本発明の金属シートの搬送方法は、検出する端部が下流端部であると、金属シート全体がパイラーコンベアに確実に磁着してから、検出されるので、金属シートをより確実に積載部に積載することができる。
【００２０】
本発明の金属シートの搬送方法は、検出が、パイラーコンベアのランアウトコンベアと一部が重なっている部分で行われると、金属シート全体がパイラーコンベアに磁着された後、すぐに金属シートを検出できるので、搬送性に優れる。
【００２１】
本発明の金属シートの搬送方法は、金属シートを、積載部の真上にて落下させ、パイラーコンベアの後方に設けられたエンドストッパーに衝突させた後、積載部に順次積載させると、金属シートがより一層確実に積載部に落下される。
【００２２】
本発明の金属シートの搬送装置は、ブランキングプレスにより切断された金属シートを間欠的に搬送するランアウトコンベアと、ランアウトコンベアと一部が重なっており、金属シートを磁着ベルトの下に磁着させて連続的に搬送するパイラーコンベアと、パイラーコンベアに設けられ、金属シートの端部を検出可能な検出器と、パイラーコンベアから落下させた金属シートを順次積載させる積載部と、を備え、金属シート全体がパイラーコンベアに磁着された後、金属シートの端部を検出器で検出し、該検出による検出信号に基づいて、落下が行われるので、金属シートをランアウトコンベアからパイラーコンベアに磁着させるタイミングに関わらず、金属シートを落下させるタイミングにずれが生じ難い。
このため、金属シートを確実に搬送し、且つ金属シートを確実に積載部に積載することができる。
なお、上記金属シートの搬送装置は、連続方式のパイラーコンベアに検出器を設けるだけでよいので設定が容易であり、使用するパイラーコンベアの速度や大きさも制限されない。
【００２３】
本発明の金属シートの搬送装置は、検出器が、パイラーコンベアのランアウトコンベアと一部が重なっている部分に設けられており、金属シートの下流端部を検出可能となっていると、金属シートがパイラーコンベアに磁着された後、すぐに金属シートを検出できるので、装置をコンパクトにすることができる。
【００２４】
本発明の金属シートの搬送装置は、積載部か２箇所あり、それぞれの積載部に対応するように、パイラーコンベアに２箇所のエンドストッパーが設けられていると、内段取りが可能となる。
【発明を実施するための最良の形態】
【００２５】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２６】
図１は、本実施形態に係る金属シートの搬送装置の一例を模式的に示す概略側面図である。
図１に示すように、上記金属シートの搬送装置１００は、ブランキングプレス１０により切断された金属シート２を搬送するランアウトコンベア２０と、金属シート２を磁着ベルト５の下に磁着させて搬送するパイラーコンベア３０と、金属シート２の下流端部を検出可能な検出器４０と、パイラーコンベア３０から落下させた金属シート２を順次積載させる前後２箇所の積載部５０，５１と、それぞれの積載部５０，５１に対応するように、パイラーコンベア３０に設けられた２箇所のエンドストッパー６０，６１と、を備える。
【００２７】
ここで、本発明において金属シート２は、磁性体からなる磁着ベルト５に磁着する性質を有するものである。
また、磁性体とは、電磁石、永久磁石等の磁着力を有するものを意味する。
さらに、本発明において、金属シート２の端部とは、その上流端部及び下流端部を意味し、下流端部とは金属シートが進行する方向に対して、後側の端部であり、上流端部とは金属シートが進行する方向に対して、前側の端部である。
【００２８】
上記ブランキングプレス１０は、固定された下刃１２と、該下刃１２に対応する形状の上刃１１と、を備える。
そして、上刃１１が昇降移動することにより、帯状の金属１が順次切断される。
【００２９】
ブランキングプレス１０の下刃１２には、ランアウトコンベア２０が隣接されており、ブランキングプレス１０において切断された金属シート２が、押し出されてランアウトコンベア２０の上に載せられる。
【００３０】
上記ランアウトコンベア２０は、両端の駆動軸と該駆動軸を介してループ状になったベルトとを有し、ブランキングプレス１０で切断された金属シート２をベルト上に載せて、パイラーコンベア３０まで搬送するものである。なお、ランアウトコンベア２０は間欠移動し、切断された金属シート２を送り出す。
【００３１】
上記パイラーコンベア３０は、ランアウトコンベア２０の末端部２０ａの上方に、一部が重なるように配置されている。
パイラーコンベア３０は、両端の駆動軸と該駆動軸を介してループ状になった磁着ベルト５とを有し、ランアウトコンベア２０から引き渡された金属シート２を磁着ベルト５の下に磁着させて搬送するものである。なお、パイラーコンベア３０は、連続移動している。
【００３２】
図２の（ａ），（ｂ）及び（ｃ）は、本実施形態に係る金属シートの搬送装置におけるランアウトコンベアからパイラーコンベアに金属シートが引き渡される状態を模式的に示す概略側面図である。
図２の（ａ）に示すように、上記金属シート２は、ランアウトコンベア２０によって搬送され、ランアウトコンベア２０の末端部２０ａに到達すると、上方のパイラーコンベア３０の磁着ベルト５の磁力によって引きつけられる。
【００３３】
そして、図２の（ｂ）に示すように、パイラーコンベア３０は、連続移動しているので、パイラーコンベア３０とシートとの間でスリップが発生しても、金属シート２は、ランアウトコンベア２０からパイラーコンベア３０に引き渡され、ついには、図２の（ｃ）に示すように、金属シート２の全体がパイラーコンベア３０に磁着される。
【００３４】
ここで、上記金属シート２の搬送装置１００においては、パイラーコンベア３０のランアウトコンベア２０と一部が重なっている部分、すなわち、末端部２０ａの上方に、検出器４０が設けられている。
そして、かかる検出器４０が金属シート２の下流端部を検出する。
このため、上記金属シート２の搬送装置１００によれば、金属シート２の全体がパイラーコンベア３０に磁着された後、すぐに金属シート２を検出できる。これにより、前後方向に装置をコンパクトにすることができる。
【００３５】
図１に戻り、上記金属シート２の搬送装置１００においては、前後に配置された２箇所の積載部（以下パイラーコンベア３０の中間に位置するものを便宜的に「第１積載部５０」、後方に位置するものを便宜的に「第２積載部５１」という。）を備える。すなわち、金属シート２が、第１積載部５０に順次積載された後、第２積載部５１に順次積載されるようになっている。
このため、上記金属シート２の搬送装置１００においては、第１積載部５０に積載された金属シート２を取り出す間に、第２積載部５１に金属シート２を積載させればよいので、内段取りが可能となる。
【００３６】
また、上記金属シート２の搬送装置１００においては、パイラーコンベア３０の中間と後方の位置の２箇所にエンドストッパー（以下パイラーコンベア３０の中間に位置するものを便宜的に「第１エンドストッパー６０」、後方に位置するものを便宜的に「第２エンドストッパー６１」という。）が設けられている。
【００３７】
上記金属シートの搬送装置１００においては、金属シート２を、第１積載部５０の真上にて落下させる。この場合、金属シート２は、パイラーコンベア３０の中間位置に設けられた第１エンドストッパー６０に衝突し第１積載部５０に正確に積載される。
そして、第１積載部５０が所定枚数積載され満杯になった後、金属シート２は、第１積層部５０を通過して、第２積載部５１の真上にて落下し、同様にパイラーコンベア３０の後方位置に設けられた第２エンドストッパー６１に衝突し第２積載部５１に順次積載される。
このため、落下した金属シート２は、第１エンドストッパー６０或いは第２エンドストッパー６１に衝突することにより前後に振り分けられて位置が調整され、確実に対応する第１積載部５０及び第２積載部５１に積載される。
【００３８】
図３の（ａ）は、本実施形態に係る金属シートの搬送装置における積載部を示す垂直断面図であり、図３の（ｂ）は、本実施形態に係る金属シートの搬送装置における積載部を示す上面図である。
図３の（ａ）及び（ｂ）に示すように、積載部５０は、リフト５２と、リフト５２上に載置されたパレット５３と、金属シート２の縦方向の位置を調整するためのスライド可能なフロントストッパー５５と、金属シート２の横方向の位置を調整するためのスライド可能なサイドストッパー５６と、パレット５３上に載置される金属シート２を検出するための光センサー５７と、を備える。
【００３９】
積載部５０においては、リフト５２が上昇した状態から、金属シート２がパレット５３上に順次積載される。
そして、所定量金属シート２が積載されると、光センサー５７が最上の金属シート２を感知し、リフト５２が所定のピッチだけ下降するようになっている。
このため、金属シート２は、落下距離が少なくなるので、落下による衝撃が小さくなる。
また、リフト５２が下降した時、フロントストッパー５５及びサイドストッパー５６が同様にスライドし、金属シート２の位置がずれた場合であっても、調整可能となっている。
【００４０】
この操作が繰り返され、リフト５２が下降しなくなる位置に達し、いわば満杯状態となると、振り分けられて第２積載部５１に金属シート２が積載されるようになる。
【００４１】
以上より、本実施形態に係る金属シートの搬送装置１００によれば、金属シート２をランアウトコンベア２０からパイラーコンベア３０に磁着させるタイミングに関わらず、金属シート２を落下させるタイミングが正確となり、積載部５０,５１に正確に積載される。
このため、長期間連続運転させる場合、金属シート２が搬送できないという事態が生じるのを抑制でき、装置の故障も抑制される。
【００４２】
次に、金属シートの搬送装置１００を用い、本実施形態に係る金属シートの搬送方法について説明する。
【００４３】
本実施形態に係る金属シート２の搬送方法は、ブランキングプレス１０で切断した金属シート２を、ランアウトコンベア２０により搬送し、所定位置でパイラーコンベア３０の磁着ベルト５に磁着させることにより引き渡し、その後、パイラーコンベア３０により搬送し、積載部（第１積載部５０又は第２積載部５１）の真上にて落下させ、積載部（第１積載部５０又は第２積載部５１）に順次積載させる。
【００４４】
以下、金属シート２の搬送方法について、更に詳細に説明する。
まず、ブランキングプレス１０において、帯状の金属１を下刃１２と上刃１１との間に通し、上刃１１を昇降移動させる。
このことにより、帯状の金属１が順次切断され、金属シート２となる。なお、帯状の金属１を切断する時には、帯状の金属１の搬送を一時的に停止させる。
【００４５】
切断された金属シート２は、ランアウトコンベア２０により搬送され、上述したようにパイラーコンベア３０の磁着ベルト５に磁着されることによりランアウトコンベア２０からパイラーコンベア３０に引き渡される。
【００４６】
ここで、ランアウトコンベア２０においては、一時的に停止するように間欠的に金属シート２が搬送される。
このため、金属シート２が確実にパイラーコンベア３０に磁着される。なお、間欠送りのタイミングは、ブランキングプレス１０の切断のタイミングに合わせることが好ましい。
【００４７】
また、パイラーコンベア３０は、連続方式であり、連続的に金属シート２が搬送される。
このため、迅速に金属シート２を搬送できる。すなわち、金属シート２の搬送方法においては、ランアウトコンベア２０からパイラーコンベア３０に金属シート２が引き渡される際のランアウトコンベア２０及びパイラーコンベア３０の速度調整が不要であることから、パイラーコンベア３０を停止させることを要しない。
【００４８】
そして、上述したように、金属シート２全体がパイラーコンベア３０に磁着された後、検出器４０が、金属シート２の下流端部を検出する。
このため、金属シート２全体がパイラーコンベア３０に確実に磁着してから検出される。
【００４９】
また、金属シート２の搬送方法においては、検出が、パイラーコンベア３０のランアウトコンベア２０と一部が重なっている部分で行われると、金属シート２全体がパイラーコンベアに磁着された後、すぐに金属シートを検出できるので、搬送性に優れる。
【００５０】
次に、更に、金属シート２がランアウトコンベア２０により搬送されると、上記検出による検出信号に基づいて、パイラーコンベア３０の磁着ベルト５の磁力が部分的にオフになり、それに伴って金属シート２が第１積載部５０の真上に到達した時に落下し、第１エンドストッパー６０に衝突し、第１積載部５０に順次積載される。
このとき、検出器４０の検出信号により、金属シート２が第１積載部５０の真上に到着するタイミングで落下される。
【００５１】
そして、第１積載部５０に金属シート２が積載し終わると、金属シート２が第１積載部５０の真上を通過し、第２積載部５１の真上に到着した時に落下し、第２エンドストッパー６１に衝突し、第２積載部５１に順次積載される。
こうして、帯状の金属１から金属シート２を確実に第１積載部５０及び第２積載部５１に積載させることができる。
【００５２】
以上より、本実施形態に係る金属シート２の搬送方法によれば、金属シート２全体をパイラーコンベア３０に磁着させた後に金属シート２を検出し、その検出信号に基づいて、金属シート２を落下させるので、金属シート２をランアウトコンベア２０からパイラーコンベア３０に磁着させるタイミングに関わらず、金属シート２を落下させるタイミングにずれが生じ難い。
このため、金属シート２を確実に搬送し、且つ金属シート２を確実に第１積載部５０及び第２積載部５１に積載することができる。
【００５３】
以上、本発明の好適な実施形態について説明したが、本発明は上記実施形態に限定されるものではない。
【００５４】
例えば、本実施形態に係る金属シートの搬送装置１００においては、パイラーコンベア３０の大きさは、特に限定されない。
また、上記金属シートの搬送装置１００においては、検出器４０が、パイラーコンベア３０のランアウトコンベア２０と一部が重なっている部分に設けられており、金属シート２の下流端部を検出しているが、これらに限定されない。
【００５５】
例えば、図４の（ａ），（ｂ）及び（ｃ）は、他の実施形態に係る金属シートの搬送装置におけるパイラーコンベアと検出器との関係を模式的に示す概略側面図である。
図４の（ａ）に示すように、この実施形態に係る金属シートの搬送装置１０１においては、検出器４１が、パイラーコンベア３１のランアウトコンベアと一部が重なっている部分に設けられており、且つ、金属シート２の下流端部を検出しているものの、パイラーコンベア３１がコンパクトになっている。
図４の（ｂ）に示すように、この実施形態に係る金属シートの搬送装置１０２においては、検出器４２が、パイラーコンベア３２の略中間の位置に設けられており、且つ、金属シート２の下流端部を検出している。
なお、この例は、パイラーコンベア３２に金属シート全部が磁着された状態における金属シート２の下流端部の位置が、検出器４１の位置を過ぎてしまう場合を極力、排除するものである。
また、上記（ａ）のような場合は、検出器４１が前方の位置にあるため、金属シート２の下流端部がまだ磁着されていない場合も生じる可能性がある。
この例のように検出器４２を一定距離下流側に設けた場合は、金属シート２の下流端部も磁着され、ほぼ確実に金属シート全部が磁着された状態となる。
図４の（ｃ）に示すように、この実施形態に係る金属シートの搬送装置１０３においては、検出器４３が、パイラーコンベア３３の略中間の位置に設けられており、且つ、金属シート２の上流端部を検出している。
【００５６】
また、金属シートの全体がパイラーコンベアに磁着された後であれば、検出器が金属シートの上流端部及び下流端部を検出してもよい。なお、検出器は複数設けられていてもよい。
この場合、金属シートをより確実に積載部に積載できる。
【００５７】
本実施形態に係る金属シートの搬送装置１００においては、前後２箇所の積載部５０，５１を備えているが、１箇所であってもよく、３箇所以上であってもよい。
また、積載部５０，５１の構造は、特に限定されるものではない。
【図面の簡単な説明】
【００５８】
【図１】図１は、本実施形態に係る金属シートの搬送装置の一例を模式的に示す概略側面図である。
【図２】図２の（ａ），（ｂ）及び（ｃ）は、本実施形態に係る金属シートの搬送装置におけるランアウトコンベアからパイラーコンベアに金属シートが引き渡される状態を模式的に示す概略側面図である。
【図３】図３の（ａ）は、本実施形態に係る金属シートの搬送装置における積載部を示す垂直断面図であり、図３の（ｂ）は、本実施形態に係る金属シートの搬送装置における積載部を示す上面図である。
【図４】図４の（ａ），（ｂ）及び（ｃ）は、他の実施形態に係る金属シートの搬送装置におけるパイラーコンベアと検出器との関係を模式的に示す概略側面図である。
【図５】図５の（ａ）は、従来のブランキングプレスラインを示す斜視図であり、図５の（ｂ）は、従来のトランスファプレスラインを示す斜視図である。
【符号の説明】
【００５９】
１・・・帯状の金属
２・・・金属シート
５・・・磁着ベルト
１０・・・ブランキングプレス
１１・・・上刃
１２・・・下刃
２０・・・ランアウトコンベア
２０ａ・・・末端部
３０,３１，３２，３３・・・パイラーコンベア
４０,４１，４２，４３・・・検出器
５０・・・第１積載部（積載部）
５１・・・第２積載部（積載部）
５２・・・リフト
５３・・・パレット
５５・・・フロントストッパー
５６・・・サイドストッパー
５７・・・光センサー
６０・・・第１エンドストッパー（エンドストッパー）
６１・・・第２エンドストッパー（エンドストッパー）
１００,１０１，１０２，１０３・・・金属シートの搬送装置
Ｘ・・・ブランキングプレスライン
Ｘ１・・・コイルフィーダー
Ｘ２・・・ブランキング・順送プレス
Ｘ３・・・パイラー
Ｙ・・・トランスファプレスライン
Ｙ１・・・ディスタックフィーダー
Ｙ２・・・三次元トランスファプレス
Ｙ３・・・パレタイザー
【図１】
0005224582.tif 000002
【図２】
0005224582.tif 000003
【図３】
0005224582.tif 000004
【図４】
0005224582.tif 000005
【図５】
0005224582.tif 000006